(57)【要約】  加熱調理器は、加熱室とドアと支持部とバネとドアアームとを備える。加熱室は、本体に設けられ、被加熱物を収容するように構成される。ドアは、加熱室の前面開口を開閉自在に覆うように構成される。支持部は本体に設けられる。バネは、本体に連結された一端を有する。ドアアームは、ドアに回転自在に連結された一端とバネの他端に連結された他端とを有し、ドアを開閉するとドアの動きに連動して移動するように構成される。ドアアームは、当接部において支持部に下方から当接する。ドアの所定の開き角度において、当接部が前方向に対して下方に傾斜する傾斜角を有する。ドアの所定の開き角度において、バネが後方かつ上方にドアアームを引っ張るように構成される。本態様によれば、ドア開閉機構を、その性能を維持しつつ小型化することができる。
2018147323.tif 000002
【特許請求の範囲】
【請求項１】
本体に設けられ、被加熱物を収容するように構成された加熱室と、
前記加熱室の前面開口を開閉自在に覆うように構成されたドアと、
前記本体に設けられた支持部と、
前記本体に連結された一端を有するバネと、
前記ドアに回転自在に連結された一端と前記バネの他端に連結された他端とを有し、前記ドアを開閉すると前記ドアの動きに連動して移動するように構成されたドアアームと、を備え、
前記ドアアームは、当接部において前記支持部に下方から当接し、
前記ドアの所定の開き角度において、前記当接部は前方向に対して下方に傾斜する傾斜角を有し、
前記ドアの前記所定の開き角度において、前記バネは後方かつ上方に前記ドアアームを引っ張るように構成された加熱調理器。
【請求項２】
前記ドアがさらに開くと、前記当接部における前記傾斜角が変化するように構成された、請求項１に記載の加熱調理器。
【請求項３】
前記ドアの前記所定の開き角度において、前記バネが後方向に対して前記傾斜角だけ上方に前記ドアアームを引っ張るように構成された、請求項１に記載の加熱調理器。
【請求項４】
前記当接部が前記ドアアームに設けられた、請求項１に記載の加熱調理器。
【請求項５】
前記当接部が前記支持部に設けられた、請求項１に記載の加熱調理器。
【請求項６】
前記ドアアームの前記一端が、連結部において前記ドアに回転自在に連結され、
前記ドアの全閉状態において、前記連結部が、前記ドアの回転軸の上方かつ後方に設けられた、請求項１に記載の加熱調理器。
【発明の詳細な説明】
【技術分野】
【０００１】
本開示は、加熱調理器、特にそのドアに関する。
【背景技術】
【０００２】
特許文献１は、従来の加熱調理器のドアの一例を開示している。図９は、上記従来の加熱調理器の、ドアを閉めた状態における要部側面図である。【０００３】
図９に示すように、上記従来の加熱調理器は、被加熱物を収容する加熱室の前面開口を覆うように設けられたドア５３と、ドア５３を開閉可能に支持するドア開閉機構５４とを有する。【０００４】
ドア開閉機構５４は、ドアアーム５５とローラ５６とバネ５７と支持部５８とを有する。ドアアーム５５は、連結部６０によってドア５３に回転自在に取り付けられた一端と、バネ５７の一端に取り付けられた他端とを有し、ドア５３の動きに連動して移動する。ドアアーム５５の下縁には、下方に突出するように突起部５５ａが設けられる。【０００５】
支持部５８は、加熱調理器の本体に固定され、回転軸５９においてドア５３を支える。ローラ５６は支持部５８に取り付けられる。バネ５７の他端は支持部５８に固定される。【０００６】
ドアアーム５５の突起部５５ａは、バネ５７に引っ張られ、常にローラ５６に押し付けられる。ドア５３を所定の開き角度だけ開けると、突起部５５ａはバネ５７に引っ張られながらローラ５６を乗り越える。このとき、バネ５７の弾性力によってドア５３に反力が作用し、ドア５３を開けるために必要な操作力は一時的に大きくなる。【０００７】
特許文献１に記載の発明によれば、ドア５３を閉める方向にトルクを発生させることができる。これにより、加熱室内の気圧が上昇しても、ドア３の密閉性を維持することができる。ドア５３の回転軸５９と連結部６０との間にある程度の距離を設ければ、バネ５７の強さを効率的に用いることができる。
【先行技術文献】
【特許文献】
【０００８】
【特許文献１】特開２００８−３９２７７号公報
【発明の概要】
【０００９】
しかしながら、特許文献１に記載の発明では、ドアアーム５５の位置が高く、かつ、ドアアーム５５の前後方向の移動距離が長い。このため、ドアアーム５５を設置するために、加熱室の左右に大きな空間を設ける必要がある。
【００１０】
以下、図１０に示す模式図を用いて、従来技術に係るドア開閉機構５４の構造的特徴について説明する。
【００１１】
図１０に示すように、ドア５３が開き始める際に、連結部６０は移動方向Ｄｄに移動する。角度θ１は、移動方向Ｄｄの前方向に対する上向きの角度である。
【００１２】
このとき、突起部５５ａは、ローラ５６を乗り越えるために、ドア５３に引っ張られて移動方向Ｄｄよりも上向きの移動方向Ｄｃの方向に移動する。
【００１３】
移動方向Ｄｃは、ドアアーム５５とローラ５６との当接面に平行であり、角度θ２は、移動方向Ｄｃと移動方向Ｄｄとの間の角度である。角度θ２が０〜９０°の範囲で大きいほど、ドア５３を開ける際にドア５３にかかる反力は大きくなる。
【００１４】
突起部５５ａがローラ５６を乗り越える際、バネ５７は、引張方向Ｄｓにドアアーム５５を引っ張る。バネ５７の弾性力を有効利用するために、引張方向Ｄｓは、移動方向Ｄｃとはできるだけ反対方向に近いのが望ましい。すなわち、バネ５７の引張方向Ｄｓは後方かつ下方の方向である。
【００１５】
角度θ３は、後方向に対するバネ５７の引張方向Ｄｓの角度である。角度θ３の大きさは角度θ１と角度θ２との和であるのが望ましい。
【００１６】
従って、上記従来技術の場合、バネ５７の力を有効利用して、ドア５３を開ける際にドア５３により大きな反力をかけるためには、水平方向に対するバネ５７の取り付け角度を大きく設計する必要がある。その結果、ドア開閉機構５４の高さ方向の寸法を低減し難い。
【００１７】
このように、特許文献１に記載の発明は、加熱調理器の本体の小型化を阻害したり、電気部品の設置スペースを制限したりするなどの問題点を有していた。
【００１８】
本開示の一態様の加熱調理器は、加熱室とドアと支持部とバネとドアアームとを備える。
【００１９】
加熱室は、本体に設けられ、被加熱物を収容するように構成される。ドアは、加熱室の前面開口を開閉自在に覆うように構成される。支持部は本体に設けられる。バネは、本体に連結された一端を有する。ドアアームは、ドアに回転自在に連結された一端とバネの他端に連結された他端とを有し、ドアを開閉するとドアの動きに連動して移動するように構成される。
【００２０】
ドアアームは、当接部において支持部に下方から当接する。ドアの所定の開き角度において、当接部は前方向に対して下方に傾斜する傾斜角を有する。ドアの所定の開き角度において、バネは後方かつ上方にドアアームを引っ張るように構成される。
【００２１】
本態様によれば、ドア開閉機構を、その性能を維持しつつ小型化することができる。その結果、本体の小型化、他の電気部品の設置スペースの確保が可能となる。
【図面の簡単な説明】
【００２２】
【図１】図１は、本開示の実施の形態１に係る加熱調理器の、ドアを完全に閉めた状態における一部切欠き側面図である。
【図２】図２は、実施の形態１に係る加熱調理器の、ドアを途中まで開けた状態における一部切欠き側面図である。
【図３】図３は、実施の形態１に係る加熱調理器の、ドアを完全に開けた状態における一部切欠き側面図である。
【図４】図４は、実施の形態１に係る加熱調理器におけるドア開閉機構の構造的特徴を説明するための模式図である。
【図５】図５は、実施の形態１に係る加熱調理器の、ドアを完全に開けた状態における要部拡大側面図である。
【図６】図６は、実施の形態１に係る加熱調理器の、ドアを完全に閉めた状態における一部切欠き平面図である。
【図７】図７は、本開示の実施の形態２に係る加熱調理器の一部切欠き側面図である。
【図８】図８は、実施の形態２に係る加熱調理器におけるドア開閉機構の構造的特徴を説明するための模式図である。
【図９】図９は、従来の加熱調理器の、ドアを閉めた状態における要部側面図である。
【図１０】図１０は、従来の加熱調理器におけるドア開閉機構の構造的特徴を説明するための模式図である。
【発明を実施するための形態】
【００２３】
本開示の第１の態様の加熱調理器は、加熱室とドアと支持部とバネとドアアームとを備える。
【００２４】
加熱室は、本体に設けられ、被加熱物を収容するように構成される。ドアは、加熱室の前面開口を開閉自在に覆うように構成される。支持部は本体に設けられる。バネは、本体に連結された一端を有する。ドアアームは、ドアに回転自在に連結された一端とバネの他端に連結された他端とを有し、ドアを開閉するとドアの動きに連動して移動するように構成される。
【００２５】
ドアアームは、当接部において支持部に下方から当接する。ドアの所定の開き角度において、当接部は前方向に対して下方に傾斜する傾斜角を有する。ドアの所定の開き角度において、バネは後方かつ上方にドアアームを引っ張るように構成される。
【００２６】
本開示の第２の態様の加熱調理器では、第１の態様に加えて、ドアが所定の開き角度を過ぎると、当接部における傾斜角が変化するように構成される。
【００２７】
本開示の第３の態様の加熱調理器では、第１の態様に加えて、ドアの所定の開き角度において、バネが後方向に対して傾斜角だけ上方にドアアームを引っ張るように構成される。
【００２８】
本開示の第４の態様の加熱調理器では、第１の態様に加えて、当接部はドアアームに設けられる。
【００２９】
本開示の第５の態様の加熱調理器では、第１の態様に加えて、当接部は支持部に設けられる。
【００３０】
本開示の第６の態様の加熱調理器では、第１の態様に加えて、ドアアームの一端は、連結部においてドアに回転自在に連結される。連結部は、ドアの回転軸の上方かつ後方に設けられる。
【００３１】
以下、本開示の実施の形態について、図面を参照しながら説明する。
【００３２】
（実施の形態１）
図１は、本開示の実施の形態１に係る加熱調理器の、ドア３を完全に閉めた状態における一部切欠き側面図である。図２は、本実施の形態に係る加熱調理器の、ドア３を途中まで開けた状態における一部切欠き側面図である。図３は、本実施の形態に係る加熱調理器の、ドア３を完全に開けた状態における一部切欠き側面図である。
【００３３】
本実施の形態では、加熱調理器の本体１のドア３側、すなわち、図１〜図３の左側を前方とする。前方から本体１に向かって右側、すなわち、図１〜図３の手前側を右側とする。ドア３を完全に閉めた状態をドア３の全閉状態といい、ドア３を完全に開けた状態をドア３の全開状態という。
【００３４】
図１〜図３に示すように、加熱調理器の本体１内には、前面開口２ａを有する加熱室２が設けられる。加熱室２の前面には、前面開口２ａを覆うようにドア３が設けられる。
【００３５】
ドア３は、その下部に設けられて水平方向（図面では奥行き方向）に延在する回転軸９を中心に回転自在な、いわゆる縦開きのドアである。ドア３は、開き角度が０°〜９０°の範囲で回転自在である。ドア３の上部には把手１１が設けられる。
【００３６】
本体１の下部には、加熱室２に供給されるマイクロ波を発生させるマグネトロンなどのマイクロ波発生装置１２が設けられる。本体１の前面開口２ａの周囲の部分と接するドア３の部分には、マイクロ波が加熱室２から漏出することを防止するために、ドアチョーク１３が設けられる。
【００３７】
以下、ドア３を開閉させるドア開閉機構４について説明する。
【００３８】
本実施の形態では、図１〜図３に示すように、ドア開閉機構４はドアアーム５とローラ６とバネ７と支持部８とを有する。
【００３９】
ドアアーム５は、連結部１０においてドア３に回転自在に連結された一端（前方端）と、ローラ６が取り付けられた他端（後方端）とを有する。連結部１０は、ドアチョーク１３の下端より低い位置に設けられる。
【００４０】
支持部８は、内縁と外縁とを有する略逆Ｕ字状の部材と前方に突出する部材とで構成される。支持部８は、加熱調理器の本体１に固定され、前方に突出する部材によりドア３を軸支する。
【００４１】
支持部８の内縁には、下方に突出するように当接部８ａが設けられる。当接部８ａの頂点の前方には、前方向に対して上方に傾斜する傾斜部が形成される。当接部８ａの頂点の後方には、前方向に対して下方に傾斜する傾斜部が形成される。
【００４２】
バネ７は、ドアアーム５の後方端に連結された一端と、本体１（正確には本体１に固定された支持部８の後部）に連結された他端とを有する。バネ７は、支持部８の内縁に囲まれるように、当接部８ａの下方に配置される。ローラ６は、バネ７の弾性力により、当接部８ａを含む支持部８の内縁に下方から押し付けられる。
【００４３】
ドア３を開ける場合、ドア３の開き角度が所定値になるまでは、ドア３を閉める方向のバネ７の弾性力が、ドア３を開ける方向のドア３の自重により生じる力より大きい。このため、使用者が把手１１を離すと、ドア３は自動的に閉まる。
【００４４】
ドア３の開き角度が所定値を超えると、ドア３を閉める方向のバネ７の弾性力が、ドア３が開ける方向のドア３の自重により生じる力より小さくなる。このため、使用者が把手１１を離すと、ドア３は自動的に開く。
【００４５】
図１に示す状態では、バネ７の弾性力によりドア３の密閉性が保持される。図２または図３に示す状態では、バネ７の弾性力は、ドア３を閉める方向にドア３を付勢し、使用者がドア３を閉めるのを援助する。
【００４６】
本実施の形態では、加熱調理器の使用時に加熱室２内の圧力が上昇した場合、ドア３が意図せず開くのを防ぐため、ドア３は、開き角度が所定の角度の場合に、ドア３を開けるために必要な力（以下、ドア３の操作力という）が一時的に強くなるように構成される。
【００４７】
使用者の負担を低減するため、所定の開き角度以外では、ドア３の操作力は極力小さい方が望ましい。
【００４８】
本実施の形態では、ドア３が開き始める際の連結部１０の移動方向Ｄｄに対する当接部８ａの傾斜部の角度、移動方向Ｄｄに対するバネ７の引張方向Ｄｓの角度、および、バネ７の弾性力を調整することによって、ドア３の操作力を調整することができる。
【００４９】
所定のドア３の開き角度においてドア３の操作力を一時的に強くするには、ドアアーム５の移動方向Ｄｄに対する当接部８ａの傾斜面の角度を、所定の反力を発生させる角度に設定する必要がある。
【００５０】
ドア３の全閉状態において、当接部８ａの頂点より後ろの、ローラ６に当接する当接部８ａの傾斜部は、前方向に対して下方に傾斜する傾斜角を有する。ローラ６は、引張方向Ｄｓへのバネ７の弾性力により、当接部８ａに下方から押し付けられる。
【００５１】
本実施の形態では、ドア３の全閉状態において、ローラ６が当接部８ａと当接する位置が連結部１０より低い場合、ドア３を閉めた時の当接部８ａの傾斜面の角度を、水平方向により近い角度にしても、所定の反力を発生させ易い。
【００５２】
ローラ６が当接部８ａの傾斜上を移動する際のバネ７の引張方向Ｄｓをローラ６の移動方向と反対方向に近い角度に設定すると、バネ７の力を有効利用することができ、比較的大きなドア３の操作力を得ることができる。
【００５３】
ドア３の全閉状態における当接部８ａの傾斜部の角度を、より水平方向に近い角度にすると、バネ７をより水平方向に近い角度で取り付けることができ、ドア開閉機構４の高さ方向の寸法を低減することができる。
【００５４】
以下、図４に示す模式図を用いて、本実施の形態に係る加熱調理器におけるドア開閉機構４の構造的特徴を説明する。
【００５５】
上述の通り、ドアアーム５に設けられたローラ６は、当接部８ａを含む支持部８の内縁に下方から押し付けられる。図４に示すように、ドア３が開き始める際に、連結部１０は移動方向Ｄｄに移動する。角度θ１は、移動方向Ｄｄの前方向に対する上向きの角度である。
【００５６】
このとき、ローラ６は、当接部８ａの頂点を乗り越えるために、ドア３に引っ張られて前方かつ下方への移動方向Ｄｃの方向に移動する。
【００５７】
移動方向Ｄｃは、ローラ６に当接する当接部８ａの傾斜部に平行であり、角度θ２は、移動方向Ｄｃと移動方向Ｄｄとの間の角度である。角度θ２が０〜９０°の範囲で大きいほど、ドア３を開ける際にドア３にかかる反力は大きくなる。
【００５８】
ローラ６が当接部８ａの頂点を乗り越える際、バネ７は、引張方向Ｄｓにドアアーム５を引っ張る。バネ７の弾性力を有効利用するために、引張方向Ｄｓは、移動方向Ｄｃとはできるだけ反対方向に近いのが望ましい。すなわち、バネ７の引張方向Ｄｓは後方かつ上方の方向である。
【００５９】
角度θ３は、後方向に対するバネ７の引張方向Ｄｓの角度である。角度θ３の大きさは、角度θ２から角度θ１を引いた値であるのが望ましい。角度θ３が角度θ２と角度θ１との差である場合、角度θ３は、ドア３が開き始めるドア３の開き角度における、ローラ６と当接する当接部８ａの傾斜部の前方向に対する傾斜角に等しい。
【００６０】
ドア３がさらに開くと、ローラ６は当接部８ａの頂点を通り過ぎる。このとき、ローラ６と当接する当接部８ａにおける傾斜角が変化する。
【００６１】
本実施の形態において、角度θ２を上記従来技術の場合と同じに設定すると、上記従来技術の場合と同じ反力が得られる。しかし、バネ７の引張方向Ｄｓの角度θ３は、上記従来技術の場合より小さくなる。本実施の形態によれば、バネ７の取り付け角度をより水平方向に近い角度に設定することができる。
【００６２】
以下、ドア３における、連結部１０の位置に関して説明する。
【００６３】
回転軸９と連結部１０との距離をより小さく設定して、ドア３の開閉時におけるドアアーム５の前後方向の移動距離を短縮すると、ドア開閉機構４の奥行き方向の寸法をより低減することができる。
【００６４】
ドア３の重量を変えずに回転軸９と連結部１０との距離を小さくすると、回転軸９の周りに発生するトルクが小さくなる。ドア３を閉した状態における密閉性、および、ドア３を閉めるときの補助力を維持するためには、より強いバネ７の力が必要となる。その結果、ドア開閉機構４にかかる負担は大きくなる。
【００６５】
図５、本実施の形態に係る加熱調理器の、ドアを完全に開けた状態における要部拡大側面図である。
【００６６】
図５に示すように、ドアアーム５がドア３を引っ張る方向（引張方向Ｄａ）に沿った直線と回転軸９との間の距離Ｌ１をより大きく設定する。これにより、回転軸９を中心にしてドア３を閉める方向（移動方向Ｄｄ）により強いトルクを発生させることができる。
【００６７】
ドア３の全閉状態では、このトルクがドア３を密閉させる。ドア３の全開状態からドア３を閉める場合には、このトルクがドア３を閉める方向にドア３を付勢して、使用者の操作を援助する。
【００６８】
上記理由により、ドア３の全閉状態において、連結部１０が回転軸９の上方かつ後方に位置するように設けられる。これにより、ドア３が開き始める際に、ドアアーム５が前方かつ上方（図４に示す移動方向Ｄｄ）に移動する。
【００６９】
なお、本特徴は上述の先行技術にも見られる。しかしながら、上述の先行技術によれば、本特徴により、水平方向に対するバネ５７の取り付け角度がより大きくなる。一方、本実施の形態によれば、本特徴により、水平方向に対するバネ７の取り付け角度をより水平方向に近づけ易くなる。
【００７０】
図６は、本実施の形態に係る加熱調理器の、ドア３の全閉状態における一部切欠き平面図である。
【００７１】
本実施の形態では、図６に示すように、ドアアーム５は、一定間隔を設けて対向する同じ形状の二枚の板状部材を有する。連結部１０およびローラ６は、二枚の板状部材を連結するように、二枚の板状部材の間に設けられる。
【００７２】
支持部８は、ローラ６と当接部８ａとが当接するように、ドアアーム５の二枚の板状部材の間に配置される。図６において、連結部１０の左右方向の中心とローラ６の左右方向の中心と支持部８とバネ７とが、一直線上に並ぶのが望ましい。この構成により、ドア開閉機構４の変形を防ぐことができる。
【００７３】
以上のように、本実施の形態によれば、ドア開閉機構を、その性能を維持しつつ小型化することができる。本体の小型化、他の電気部品の設置スペースの確保を可能となる。
【００７４】
（実施の形態２）
以下、本開示の実施の形態２について説明する。図７は、本実施の形態に係る加熱調理器の一部切欠き側面図である。
【００７５】
図７に示すように、本実施の形態では、実施の形態１と同様に、ドア開閉機構４がドアアーム５とローラ６とバネ７と支持部８とを有する。
【００７６】
しかし、実施の形態１とは異なり、支持部８は、内縁と外縁とを有する略Ｕ字状の部材で構成される。ドアアーム５の上縁には、当接部５ａが上方に突出するように形成される。当接部５ａの頂点の前後には傾斜部が形成される。ローラ６は支持部８に取り付けられる。
【００７７】
バネ７は、ドアアーム５の後方端に連結された一端と、本体１（正確には本体１に固定された支持部８の後部）に連結された他端とを有する。バネ７は、支持部８の内縁に囲まれるように、当接部５ａの後方に配置される。当接部５ａを含むドアアーム５の上縁が、引張方向Ｄｓへのバネ７の弾性力により、ローラ６に下方から押し付けられる。
【００７８】
以下、図８に示す模式図を用いて、本実施の形態に係る加熱調理器におけるドア開閉機構４の構造的特徴を説明する。
【００７９】
図８に示すように、ドア３が開き始める際に、連結部１０は移動方向Ｄｄに移動する。角度θ１は、移動方向Ｄｄの前方向に対する上向きの角度である。
【００８０】
このとき、当接部５ａは、その頂点がローラ６を乗り越えるために、ドア３に引っ張られて前方かつ下方への移動方向Ｄｃの方向に移動する。
【００８１】
移動方向Ｄｃは、ローラ６に当接する当接部５ａの傾斜部に平行であり、角度θ２は、移動方向Ｄｃと移動方向Ｄｄとの間の角度である。角度θ２が０〜９０°の範囲で大きいほど、ドア３を開ける際にドア３にかかる反力は大きくなる。
【００８２】
当接部５ａの頂点がローラ６を乗り越える際、バネ７は、引張方向Ｄｓにドアアーム５を引っ張る。バネ７の弾性力を有効利用するために、引張方向Ｄｓは、移動方向Ｄｃとはできるだけ反対方向に近いのが望ましい。すなわち、バネ７の引張方向Ｄｓは後方かつ上方の方向である。
【００８３】
角度θ３は、後方向に対するバネ７の引張方向Ｄｓの角度である。角度θ３の大きさは、角度θ２から角度θ１を引いた値であるのが望ましい。角度θ３が角度θ２と角度θ１との差である場合、角度θ３は、ドア３が開き始めるドア３の開き角度における、ローラ６と当接する当接部５ａの傾斜部の前方向に対する傾斜角に等しい。
【００８４】
ドア３がさらに開くと、当接部５ａの頂点はローラ６を通り過ぎる。このとき、ローラ６と当接する当接部５ａにおける傾斜角が変化する。
【００８５】
本実施の形態において、角度θ２を上記従来技術の場合と同じに設定すると、上記従来技術の場合と同じ反力が得られる。しかし、バネ７の引張方向Ｄｓの角度θ３は、上記従来技術の場合より小さくなる。本実施の形態によれば、バネ７の取り付け角度をより水平方向に近い角度に設定することができる。
【産業上の利用可能性】
【００８６】
本開示は調理器だけでなく、その他の電化製品、家具にも適用可能である。
【符号の説明】
【００８７】
１  本体
２  加熱室
２ａ  前面開口
３，５３  ドア
４，５４  ドア開閉機構
５，５５  ドアアーム
５ａ，８ａ  当接部
６，５６  ローラ
７，５７  バネ
８，５８  支持部
９，５９  回転軸
１０，６０  連結部
１１  把手
１２  マイクロ波発生装置
１３  ドアチョーク
５５ａ  突起部
【図１】
2018147323.tif 000003
【図２】
2018147323.tif 000004
【図３】
2018147323.tif 000005
【図４】
2018147323.tif 000006
【図５】
2018147323.tif 000007
【図６】
2018147323.tif 000008
【図７】
2018147323.tif 000009
【図８】
2018147323.tif 000010
【図９】
2018147323.tif 000011
【図１０】
2018147323.tif 000012
【国際調査報告】
2018147323.tif 000013
2018147323.tif 000014